(57)【特許請求の範囲】
【請求項１】
品物が様々な操作により受ける加速度を測定、記録する衝撃記録器において、該衝撃記録器は、パーソナルコンピュータ等に接続されている際には電源を外部から供給を受け駆動し、パーソナルコンピュータ等に接続されていない際には衝撃記録器に内蔵された電池等により駆動するように電源を切り替えると共に、前記衝撃記録器がパーソナルコンピュータ等に接続されている際には、前記衝撃記録器に内蔵されているＣＰＵにより通信部の動作をオンにし外部からの通信要求を感知し通信可能状態に遷移し、パーソナルコンピュータ等に接続されていない際には、前記衝撃記録器に内蔵されている前記ＣＰＵにより前記通信部の動作をオフし外部からの通信要求を感知せず通信可能状態に遷移せず、パーソナルコンピュータ等との通信中にパーソナルコンピュータ等との接続が切り離された際には、前記衝撃記録器に内蔵されている前記ＣＰＵにより前記通信部の動作をオフし外部からの通信要求を感知せず通信不可能状態に遷移することを特徴とする衝撃記録器。
【請求項２】
前記電源の切り替え及び前記通信可能、不可能状態への遷移は、前記衝撃記録器をパーソナルコンピュータ等に接続、切り離しすることにより前記衝撃記録器の内部で自動的に行うことを特徴とする請求項１記載の衝撃記録器。
【発明の詳細な説明】
【０００１】
【発明の属する技術分野】
本発明は品物が様々な操作により受ける加速度を測定、記録する衝撃記録器に関するものである。
【０００２】
【従来の技術】
品物が取扱われたり運送されたりする際、落下や衝突あるいはバウンド等による衝撃で損傷を受ける場合がある。損傷を受けた際、取扱い時及び運送時等のどの時点の衝撃で損傷を受けたかを明確にする必要が生じる。品物が衝撃を受ける際は加速度を受けるため、該加速度を測定し時系列に記録しておけば取扱い時および運送時のどの時点で衝撃を受けたかが明確になり、損傷の原因を把握することができる。このような衝撃記録器（加速度記録器）は品物に取付けられて使用され、品物と同等な取扱い、運送を受け、発生した加速度を測定し、記録し、取扱い、運送後、衝撃記録器内に蓄積された記録を読み取り品物の受けたであろう衝撃を確認する。そのため衝撃記録器は長時間の測定と記録を繰り返すが、使用目的からして小型化、軽量化が必要であり、当然、消費電力が少なく大量の測定データが蓄積できることが望まれる。加速度を長時間にわたり測定、記録しようとすれば、測定、記録動作も多くなるため、衝撃記録器の消費電力はさらに少ないものが望まれる。測定記録の動作はもちろん衝撃記録器内に蓄積された記録の読み取りも少ない消費電力で動作させなければならない。通信中にも加速度の測定、記録動作は継続されることもあり、その場合通信中は加速度の測定、記録動作時の消費電力に加え、通信するための消費電力も必要となる。
【０００３】
通常、衝撃記録器内に蓄積された記録の読み取りは、パーソナルコンピュータ等と通信して行われる。その際衝撃記録器は、内蔵された電池等の電源により動作させる。又、測定され、蓄積されたデータは長時間に渡り記録されているため、データ数は多く、蓄積されたデータの読み取りには時間がかかる。
【０００４】
【発明が解決しようとする課題】
衝撃記録器内に蓄積された記録を読み取るための、パーソナルコンピュータ等との通信時には、電力を多く消費してしまうので、通信を行うことにより内蔵された電池等の寿命を短くしてしまう。
【０００５】
また、蓄積されたデータの読み取りには時間がかかるため、通信中に内蔵された電池等の残量が無くなってしまい、通信が不可能になり蓄積された記録の読み取りが行えなくなってしまう危険性がある。
【０００６】
さらに電池等は使用される消費電力により発生電圧が異なってしまうため、加速度の測定、記録動作と通信動作の消費電力の違いにより、加速度の測定、記録は可能でも、通信は不可能になってしまう危険性もある。
【０００７】
本発明は上記問題点を解決し、通信を行うことによる電池等の消費電力を無くし、電池等の寿命を長くし、電池等の残量低下による通信不可能を無くして信頼度の高い通信を実現し、測定、記録された加速度を確実に読み取れる衝撃記録器を提供することを目的とする。
【０００８】
【課題を解決するための手段】
品物が様々な操作により受ける加速度を測定、記録する衝撃記録器において、該衝撃記録器は、パーソナルコンピュータ等に接続されている際には電源を外部から供給を受け駆動し、パーソナルコンピュータ等に接続されていない際には衝撃記録器に内蔵された電池等により駆動するように電源を切り替えると共に、前記衝撃記録器がパーソナルコンピュータ等に接続されている際には、前記衝撃記録器に内蔵されているＣＰＵにより通信部の動作をオンにし外部からの通信要求を感知し通信可能状態に遷移し、パーソナルコンピュータ等に接続されていない際には、前記衝撃記録器に内蔵されている前記ＣＰＵにより前記通信部の動作をオフし外部からの通信要求を感知せず通信可能状態に遷移せず、パーソナルコンピュータ等との通信中にパーソナルコンピュータ等との接続が切り離された際には、前記衝撃記録器に内蔵されている前記ＣＰＵにより前記通信部の動作をオフし外部からの通信要求を感知せず通信不可能状態に遷移する衝撃記録器とする。
【０００９】
前記電源の切り替え及び前記通信可能、不可能状態への遷移は、前記衝撃記録器をパーソナルコンピュータ等に接続、切り離しすることにより前記衝撃記録器の内部で自動的に行う衝撃記録器とする。
【００１１】
【発明の実施の形態】
図１は本発明を説明するブロック図である。衝撃記録器１はセンサ部２、処理回路部３、電源部４より構成されていて、衝撃記録器１は単体で測定、記録ができるものである。センサ部２は加速度センサと検出回路で構成され、電源部４は電池である。処理回路部３はセンサ部２の出力読み取り部、記録部、通信部等で構成されるものである。
【００１２】
図２は本発明の通信時の動作を説明する配線図である。衝撃記録器１はインターフェイス５を介してパーソナルコンピュータ６に接続され、衝撃記録器１内に蓄積された記録の読み取りのための通信が行われる。衝撃記録器１とインターフェイス５はコネクタで接続される。この時、インターフェイス５はレベル変換等を行い、衝撃記録器１とパーソナルコンピュータ６の通信フォーマットを合わせている。また、インターフェイス５には電源７が供給されている。
【００１３】
図３は本発明の第一実施形態を示す電源の切り替え動作を行う回路図である。コネクタ９はインターフェイス５に接続するためのコネクタである。
衝撃記録器本体への電源はダイオードＤ１を経由して電池８に接続される。あるいはダイオードＤ２を経由してコネクタ９（インターフェイスに接続された電源）に接続される。ＦＥＴ１０のソースはグランドに、ゲートは抵抗Ｒ１、Ｒ２を介してコネクタ９とグランドに、ドレインは抵抗Ｒ３を介し衝撃記録器本体への電源に接続されている。コネクタ９に何も接続されていなければ、ダイオードＤ１を経由して電池８から電源が供給される。コネクタ９に電池電圧より高い電圧を供給すれば（衝撃記録器がインターフェイスに接続されると）、ダイオードＤ１には逆電圧がかかり、すなわち電池８から電源供給されず、コネクタ９よりダイオードＤ２を経由して電源供給される。前記したようにダイオードを用いることで、インターフェイスを介してパーソナルコンピュータ等に接続された際には外部から電源供給され、接続されていない際には電池から電源供給される衝撃記録器が容易に構成できる。
【００１４】
また、ＦＥＴ１０により、電池８による電源供給の際はＦＥＴ１０がオフし、ＦＥＴ１０のドレインに衝撃記録器本体の電源電圧、即ち”Ｈ”が現れる。コネクタ９から電源供給されている際はＦＥＴ１０がオンし、ＦＥＴ１０のドレインにグランド電圧、即ち”Ｌ”が現れる。これにより、どちらからの電源供給かが簡単に判断できる。
【００１５】
図４は本発明の第二実施形態を示す電源の切り替え動作を行う回路図である。衝撃記録器本体への電源はＦＥＴ１１を経由して電池８に接続されている。ＦＥＴ１１のゲートは抵抗Ｒ４を介してグランドと、コネクタ９に接続されている。コネクタ９に何も接続されていなければ、ＦＥＴ１１はオンし、電池８からＦＥＴ１１を経由して電源が供給される。コネクタ９に電池８の電圧と同じかもしくは高い電圧を供給すれば、ＦＥＴ１１のゲート電圧は上がり、ＦＥＴ１１はオフする。したがって、電池８から電源供給されず、コネクタ９より電源供給される。これにてインターフェイスを介してパーソナルコンピュータ等に接続された際には外部から電源供給され、接続されていない際には電池から電源供給される衝撃記録器が容易に構成できる。また、ＦＥＴを使用することにより、消費電流が少なく、動作が安定した回路が構成できる。
【００１６】
図５は本発明の全体を示すブロック図である。電源切り替え部１２から電源供給が電池８からであるか、コネクタ９（外部からの電源）であるかを示す信号がＣＰＵ１３に接続されている。ＣＰＵ１３は、電源切り替え部１２からの信号により通信部１４の動作をオン又はオフさせ通信動作の状態を切り替える。即ち、電池８で動作している際には通信部１４の動作をオフし、外部からの通信要求があってもＣＰＵ１３はその要求を感知せず、通信可能状態に遷移しない。外部からの電源で動作している際には通信部１４の動作をオンし、外部からの通信要求があればＣＰＵ１３はその要求を感知し、通信可能状態に遷移する。
仮に通信中に接続が遮断されても、ＣＰＵ１３は電源供給が電池に切り替わったことを感知できるため、直ちに通信を中断し、通信不可能状態に遷移可能である。
又、電池８の残量が非常に少なくても、外部からの電源供給により動作可能であり通信できる。これにより、電池８に直接電圧検出器１５を接続することで電圧検出器１５からの出力をみることを可能にし、電池８の残量を正確に知り得ることを可能にしている。
【００１７】
これにより、通信を行うことによる電池等の消費電力を無くし、電池等の寿命を長くすることができる。また、電池等の残量低下による通信不可能を無くし、信頼度の高い通信を実現した衝撃記録器を容易に構成できる。さらに通信部１４の動作をオフすることにより、電池８による電源供給時の消費電力を少なくできる。
【００１８】
【発明の効果】
本発明によると通信による電池の消費電力がないため、電池等の寿命が長い製品を容易に実現、提供できる。
【００１９】
信頼度の高い通信を実現することができ、測定、記録された加速度を確実に読み取れる。
【００２０】
また、内部の電池等の状態によることなく動作可能なため、製品内部の状態を監視、通信等させることが容易に実現できる。
【図面の簡単な説明】
【図１】本発明を説明するブロック図
【図２】本発明の通信時の動作を説明する配線図
【図３】本発明の第一実施形態を示す電源の切り替え動作を行う回路図
【図４】本発明の第二実施形態を示す電源の切り替え動作を行う回路図
【図５】本発明の全体を示すブロック図
【符号の説明】
１  衝撃記録器
２  センサ部
３  処理回路部
４  電源部
５  インターフェイス
６  パーソナルコンピュータ
７  電源
８  電池
９  コネクタ
１０  ＦＥＴ
１１  ＦＥＴ
１２  電源切り替え部
１３  ＣＰＵ
１４  通信部
１５  電圧検出器
Ｄ１  ダイオード
Ｄ２  ダイオード
Ｒ１  抵抗
Ｒ２  抵抗
Ｒ３  抵抗
Ｒ４  抵抗
【図１】
0004089845.tif 000002
【図２】
0004089845.tif 000003
【図３】
0004089845.tif 000004
【図４】
0004089845.tif 000005
【図５】
0004089845.tif 000006